(57)【要約】【課題】ブラケット等の吊荷を簡易な構成にて搬送できる吊り天秤装置等を提供する。【解決手段】吊り天秤装置１は、天秤本体２と、天秤本体２の後端部に設けられたカウンターウェイト３と、天秤本体２の前端部に設けられたブラケット保持部４と、天秤本体２を吊るためのワイヤ６１等の吊材と、を有する。吊り天秤装置１では、天秤本体２が前後の吊下箇所で吊材により吊られ、そのうち前方の吊下箇所では長さ調節可能なチェーンブロック７が吊材として用いられる。【選択図】図１
2020084634.tif 000002
【特許請求の範囲】
【請求項１】
吊荷の保持部とカウンターウェイトとを天秤本体に設けた吊り天秤装置であって、
前記保持部と前記カウンターウェイトを結ぶ方向の前後の吊下箇所のそれぞれに取付けられた、前記天秤本体を吊るために用いられる吊材を備え、
少なくともいずれかの吊下箇所で長さ調節可能な吊材が用いられたことを特徴とする吊り天秤装置。
【請求項２】
前記保持部は、前記吊荷の水平面内における向きを調整可能であることを特徴とする請求項１記載の吊り天秤装置。
【請求項３】
前記保持部は、前記吊荷の鉛直面内における向きを調整可能であることを特徴とする請求項１または請求項２記載の吊り天秤装置。
【請求項４】
前記カウンターウェイトは、前記天秤本体の上面に載置されることを特徴とする請求項１から請求項３のいずれかに記載の吊り天秤装置。
【請求項５】
請求項１から請求項４のいずれかに記載の吊り天秤装置を用いた橋梁床版の下部構造へのブラケット設置方法であって、
前記吊荷であるブラケットを前記保持部にセットし、前記吊り天秤装置を吊った状態で移動させ、前記ブラケットを前記下部構造における前記ブラケットの取付位置まで搬送する工程と、
前記ブラケットを前記取付位置に取付ける工程と、
を有することを特徴とするブラケット設置方法。
【請求項６】
前記天秤本体の一方の端部に前記カウンターウェイトが設けられ、
前記天秤本体の他方の端部に前記保持部が設けられ、
前記橋梁床版の幅方向における前記ブラケットの取付位置に応じて、前記天秤本体の前記保持部と前記カウンターウェイトの間の長さが異なる前記吊り天秤装置を用いることを特徴とする請求項５記載のブラケット設置方法。
【発明の詳細な説明】
【技術分野】
【０００１】
本発明は、吊り天秤装置およびこれを用いたブラケット設置方法に関する。
【背景技術】
【０００２】
橋梁の耐震補強工事として、落橋防止用のブラケットを橋脚等に取付けることがある。例えば特許文献１には、橋脚と橋桁にブラケットを取付け、これらを連結することにより落橋を防止した落橋防止装置が開示されている。
【先行技術文献】
【特許文献】
【０００３】
【特許文献１】特開2015-158106号公報
【発明の概要】
【発明が解決しようとする課題】
【０００４】
しかしながら、橋梁の耐震補強工事では、ブラケットの取付位置までブラケットを搬送するのに困難を要する場合もある。
【０００５】
例えば海上の橋梁の耐震補強工事の一環として落橋防止用のブラケットを橋脚に取付ける場合、橋梁床版上の幅員の確保や海洋環境の保護などの課題があり、ブラケットの搬送に使用できる重機や仮設物が限られ大掛かりなものや複雑な構成を有するものを使用するのは困難である。
【０００６】
例えば大掛かりな重機は幅員確保の面から使用が難しく、また橋脚にブラケット搬送用の搬送台車やガイドレールを設置すると、これらの仮設物に使用する油脂類等が海へ流出し、海洋環境の汚染につながる恐れがある。
【０００７】
本発明は上記の問題に鑑みてなされたものであり、ブラケット等の吊荷を簡易な構成にて搬送できる吊り天秤装置等を提供することを目的とする。
【課題を解決するための手段】
【０００８】
前述した課題を解決するための第１の発明は、吊荷の保持部とカウンターウェイトとを天秤本体に設けた吊り天秤装置であって、前記保持部と前記カウンターウェイトを結ぶ方向の前後の吊下箇所のそれぞれに取付けられた、前記天秤本体を吊るために用いられる吊材を備え、少なくともいずれかの吊下箇所で長さ調節可能な吊材が用いられたことを特徴とする吊り天秤装置である。
【０００９】
本発明の吊り天秤装置は、天秤本体に吊荷とカウンターウェイトを設置して天秤状に吊り支持することで、簡易な構成にて吊荷の搬送を行うことができ、吊荷としてブラケットを橋梁床版の下方のブラケットの取付位置まで搬送するようなケースにも適用できる。また本発明では天秤本体がワイヤ等の吊材により前後の吊下箇所で吊られるが、そのうち少なくともいずれかの吊下箇所では長さ調節可能な吊材が用いられることにより、吊り天秤装置において重要な、天秤本体を水平に保つためのバランス調整を吊材の長さ調節により簡易な構成で行うことができる。
【００１０】
前記保持部は、前記吊荷の水平面内における向きを調整可能であることが望ましい。また、前記保持部は、前記吊荷の鉛直面内における向きを調整可能であることも望ましい。
これにより、吊荷の水平面内や鉛直面内における向きを適切に定めることができ、ブラケット等の吊荷の設置作業を容易に行うのに寄与する。
【００１１】
前記カウンターウェイトは、前記天秤本体の上面に載置されることが望ましい。
これにより、カウンターウェイトの増減を容易に行うことができる。
【００１２】
第２の発明は、第１の発明の吊り天秤装置を用いた橋梁床版の下部構造へのブラケット設置方法であって、前記吊荷であるブラケットを前記保持部にセットし、前記吊り天秤装置を吊った状態で移動させ、前記ブラケットを前記下部構造における前記ブラケットの取付位置まで搬送する工程と、前記ブラケットを前記取付位置に取付ける工程と、を有することを特徴とするブラケット設置方法である。
第２の発明は第１の発明の吊り天秤装置を用いたブラケットの設置方法であり、吊り天秤装置を用いることでブラケットを橋梁床版の下方のブラケットの取付位置まで容易に搬送できる。
【００１３】
また、前記天秤本体の一方の端部に前記カウンターウェイトが設けられ、前記天秤本体の他方の端部に前記保持部が設けられ、前記橋梁床版の幅方向における前記ブラケットの取付位置に応じて、前記天秤本体の前記保持部と前記カウンターウェイトの間の長さが異なる前記吊り天秤装置を用いることが望ましい。
これにより、吊り天秤装置の天秤本体の長さをブラケットの取付位置に応じた最小限のものとし、吊り天秤装置のバランス調整を簡単に行うことができる。
【発明の効果】
【００１４】
本発明により、ブラケット等の吊荷を簡易な構成にて搬送できる吊り天秤装置等を提供することができる。
【図面の簡単な説明】
【００１５】
【図１】吊り天秤装置１を示す図。
【図２】天秤本体２の後端部を示す図。
【図３】ブラケット１０を示す図。
【図４】ブラケット保持部４を示す図。
【図５】ブラケット設置方法について説明する図。
【図６】チェーンブロック７の長さ調節について説明する図。
【図７】ブラケット１０の水平面内の向きの調整について説明する図。
【図８】ブラケット１０の鉛直面内の向きの調整について説明する図。
【図９】チェーンブロック７の長さ調節について説明する図。
【図１０】天秤本体２の長さの異なる吊り天秤装置１を用いる例。
【発明を実施するための形態】
【００１６】
以下、図面に基づいて本発明の好適な実施形態について詳細に説明する。
【００１７】
（１．吊り天秤装置１）
図１は、本発明の実施形態に係る吊り天秤装置１を示す図である。吊り天秤装置１は、天秤本体２の長手方向の両端部にカウンターウェイト３とブラケット保持部４をそれぞれ設けて天秤状に構成される。以下、吊り天秤装置１においてブラケット保持部４側を「前」といい、カウンターウェイト３側を「後」というものとする。
【００１８】
吊り天秤装置１はブラケット１０をその取付位置まで搬送するために用いられる。吊り天秤装置１は主に鋼材により形成される。
【００１９】
天秤本体２は、天秤竿２１と張出部２２を有する。天秤竿２１は長尺の竿状部材である。張出部２２は天秤本体２の後端部において、天秤竿２１から側方に張出すように設けられる。
【００２０】
天秤本体２は、ワイヤ６１およびチェーンブロック７を用いてクレーンのフック６から吊り下げられる。ワイヤ６１およびチェーンブロック７は天秤本体２を吊るための吊材であり、このうちチェーンブロック７は長さ調節が可能である。
【００２１】
図２（ａ）は天秤本体２の後端部（一方の端部）を後方から見たものである。図２（ａ）に示すように、張出部２２は、天秤竿２１から左右両側に張り出すように設けられる。各張出部２２には取付部２２１、桁材２２２、脚部２２３が設けられる。
【００２２】
取付部２２１（吊下箇所）はワイヤ６１またはチェーンブロック７の先端を取付けて天秤本体２を吊るためのものであり、図１に示すように天秤本体２の長手方向（カウンターウェイト３とブラケット保持部４を結ぶ方向）の前後に設けられる。
【００２３】
後方の取付部２２１にはフック６から延びるワイヤ６１の先端が取付けられ、前方の取付部２２１にはチェーンブロック７の先端が取付けられる。チェーンブロック７は、フック６から延びる別のワイヤ６１の先端に取付けられる。
【００２４】
図２（ａ）に示すように、本実施形態では天秤竿２１の両側の張出部２２のそれぞれに上記の取付部２２１が設けられ、計４点の吊下箇所で天秤本体２が吊り支持される。
【００２５】
桁材２２２は張出部２２上で天秤本体２の長手方向に沿って配置される。また脚部２２３は張出部２２の角部から下方に延び、その下端が天秤竿２１の下面と同じ高さに達する。
【００２６】
天秤本体２の後端部では、天秤本体２（天秤竿２１）の上面にカウンターウェイト３が載置される。カウンターウェイト３は矩形板状の重りであり、ブラケット１０の重量に合わせて必要な枚数が重ねて配置される。
【００２７】
図２（ｂ）に示すように、カウンターウェイト３の各角部には平面L字状のコーナー柱３２が設けられる。カウンターウェイト３の各角部をコーナー柱３２の隅部に合わせて配置することでカウンターウェイト３が位置決めされ、天秤本体２からの脱落が防止される。コーナー柱３２は、天秤本体２の左右両側の張出部２２に設けられた桁材２２２上に配置される。
【００２８】
天秤本体２の前端部（他方の端部）にはブラケット保持部４が設けられる。ブラケット保持部４は吊荷であるブラケット１０を保持するためのものである。
【００２９】
図３はブラケット１０を示す図である。ブラケット１０は頂板１１、側板１２、背面板１３により構成される。頂板１１は背面板１３の上端に設けられる水平方向の板材であり、鉛直方向の板材である背面板１３とＬ字状に接続される。側板１２は、頂板１１および背面板１３の両側端部に配置される。なお、背面板１３の所定位置には孔１４が設けられる。孔１４はブラケット１０の取付時に後述するボルトを差し込むためのものである。
【００３０】
図４はブラケット保持部４を示す図である。図４（ａ）はブラケット保持部４の鉛直方向の構成を示す図であり、図４（ｂ）はブラケット保持部４を正面から見た図である。また図４（ｃ）はブラケット保持部４の平面構成を示す図であり、図４（ａ）、（ｃ）はそれぞれ図４（ｂ）の線ａ−ａ、線ｂ−ｂによる断面である。
【００３１】
図４に示すように、ブラケット保持部４は、受台４１、摺動板４２、旋回部４３、ピン４４、ジャッキ４５、把持部４６等を有する。
【００３２】
受台４１は、脚柱４１１、ベースプレート４１２、トッププレート４１３等を有する。図４（ｂ）に示すように、脚柱４１１はブラケット保持部４において左右一対に設けられる柱状部材であり、各脚柱４１１の下端はベースプレート４１２にそれぞれ固定される。ベースプレート４１２は天秤本体２（天秤竿２１）の上面に取り付けられた板材であり、トッププレート４１３は脚柱４１１の上端に設けられた板材である。トッププレート４１３は、左右の脚柱４１１の間に架け渡すように配置される。
【００３３】
摺動板４２はトッププレート４１３の上面に設けられる板材である。摺動板４２は、トッププレート４１３の上面の各脚柱４１１に対応する位置に左右一対設けられる。摺動板４２には例えば固体潤滑剤を設けた金属板や、フッ素樹脂加工を施した金属板等を用いることができる。
【００３４】
旋回部４３は、ブラケット１０を水平面内で回転させるためのものであり、ベースプレート４３１、アーム４３２、前面板４３３、ハンドルバー４３４等を有する。
【００３５】
ベースプレート４３１は摺動板４２の上に設けられる板材である。ベースプレート４３１は、左右の摺動板４２の間に架け渡すように配置される。
【００３６】
アーム４３２は、ベースプレート４３１の上面に取り付けられる竿状部材である。図４（ｃ）に示すように、アーム４３２はベースプレート４３１から手前側（ブラケット１０の反対側）に延びるように左右一対設けられる。
【００３７】
前面板４３３は、アーム４３２の先端に設けられる板材である。前面板４３３は、左右のアーム４３２の間に架け渡すように配置される。
【００３８】
ハンドルバー４３４は、前面板４３３に設けられる棒状部材である。ハンドルバー４３４は、前面板４３３から手前側に延びるように設けられる。本実施形態では、ハンドルバー４３４の操作により旋回部４３を水平面内で回転させることが可能である。
【００３９】
ピン４４は旋回部４３が回転する際の回転軸となるものであり、ベースプレート４３１の下面から鉛直下方に延び受台４１のトッププレート４１３を貫通するように設けられる。
【００４０】
ジャッキ４５は、ブラケット１０を鉛直面内で回転させるためのものであり、図４（ｂ）に示すようにベースプレート４３１の上面で左右一対に配置される。ジャッキ４５の上端はブラケット１０の頂板１１の下面に当接する。
【００４１】
把持部４６は、ブラケット１０の頂板１１を把持するものである。把持部４６は、柱部４６１、上板４６２、側板４６３、下板４６４、ボルト４６５、４６８、ナット４６７等を有する。
【００４２】
図４（ｂ）に示すように、柱部４６１は左右一対に設けられ、その上端に上板４６２が取付けられる。上板４６２は左右の柱部４６１の間に架け渡すように配置され、ブラケット１０の頂板１１の上面に沿って設けられる。
【００４３】
各柱部４６１の高さ方向の中間部では、ブラケット１０側に下板４６４が設けられる。下板４６４はブラケット１０の頂板１１の下方に設けられる板材であり、頂板１１の下面と平行に配置される。
【００４４】
各下板４６４にはネジ孔（不図示）が形成されており、ネジ孔にボルト４６５の軸部を締め込むことでその先端をブラケット１０の頂板１１の下面に当接させる。
【００４５】
把持部４６では、ボルト４６５の先端と上板４６２とでブラケット１０の頂板１１を挟み、ボルト４６５の先端で頂板１１を上板４６２に押し付けることにより、ブラケット１０の頂板１１が把持される。なお、ボルト４６５を緩めると頂板１１の把持状態は解除され、ブラケット保持部４からブラケット１０を取り外すことができる。
【００４６】
側板４６３は各柱部４６１の側方に設けられる板材であり、各側板４６３は旋回部４３の各アーム４３２にそれぞれ取り付けられる。本実施形態では、アーム４３２を貫通する水平方向のボルト４６８の軸部が側板４６３の長孔４６６に通され、その先端にナット４６７が締め込まれる。これにより把持部４６が旋回部４３に取付けられ、且つ把持部４６が水平方向のボルト４６８を回転軸として鉛直面内で回転可能になる。
【００４７】
なお本実施形態では天秤本体２の長さ（カウンターウェイト３とブラケット保持部４の間の長さ）が異なる複数種類の吊り天秤装置１を製作し、これらを以下のブラケット設置作業に用いる。
【００４８】
（２．ブラケット設置方法）
次に、図５等を参照し、吊り天秤装置１を用いたブラケット設置方法について説明する。
【００４９】
本実施形態では、図５（ａ）に示す橋梁床版１０１の下部構造である橋脚１０２にブラケット１０を取付け、これを用いて海上の橋梁の補強を行う。橋脚１０２の壁面にはブラケット１０を取付けるためのボルト１０３が設けられ、また作業用の足場１０４が仮設される。
【００５０】
本実施形態では、まず橋梁床版１０１上で吊り天秤装置１のブラケット保持部４にブラケット１０をセットした後、橋梁床版１０１上に設けたクレーン（不図示）のフック６からワイヤ６１とチェーンブロック７を用いて天秤本体２を吊り上げ、図５（ａ）に示すように橋脚１０２の側方に吊り天秤装置１を吊り込む。そして、図５（ｂ）に示すように吊り天秤装置１を水平方向に移動させ、吊り天秤装置１を橋梁床版１０１の下方に引き込んでブラケット１０を取付位置まで移動させる。
【００５１】
吊り天秤装置１の地切り時や橋梁床版１０１下への引込時などで図６（ａ）に示すように天秤本体２の長手方向が水平方向に対して傾斜した場合、本実施形態では、チェーンブロック７の長さを調節する（図の例ではチェーンブロック７を短くする）ことで図６（ｂ）に示すように鉛直面内における天秤本体２の長手方向の向きを変え、水平方向に一致させることができる。
【００５２】
本実施形態では、こうして吊り天秤装置１の水平を維持しつつ取付位置までブラケット１０を搬送する。チェーンブロック７の長さ調節は、吊り天秤装置１の地切り時には橋梁床版１０１上の作業者により行うことができ、橋梁床版１０１下への引込時には足場１０４上の作業者によって行うことができる。
【００５３】
図５（ｂ）に示すようにブラケット１０を取付位置に移動させたら、ブラケット１０の橋脚１０２への取付を行う。
【００５４】
ここで、ブラケット１０の取付時に図７（ａ）、図８（ａ）に示すようにブラケット１０の背面板１３が橋脚１０２の壁面と平行でないと、ブラケット１０の背面板１３の孔１４（図３参照）にうまくボルト１０３を差し込むことができない。
【００５５】
この場合、本実施形態では図７（ｂ）の矢印Ａに示すようにハンドルバー４３４を操作して旋回部４３をピン４４を中心として回転させることができる。これにより、旋回部４３および旋回部４３に取り付けられた把持部４６が回転し、把持部４６で把持されたブラケット１０の水平面内の向きを調整することができる。
【００５６】
また、図８（ｂ）の矢印Ｂに示すようにジャッキ４５を伸長させることで、ブラケット１０および把持部４６をボルト４６８を中心として回転させることができ、これによりブラケット１０の鉛直面内の向きを調整することができる。図の例ではジャッキ４５を伸長させているが、ジャッキ４５を収縮させてブラケット１０の鉛直面内の向きを調整することも可能である。
【００５７】
本実施形態では、以上の操作により、ブラケット１０の向きを微調整して背面板１３を橋脚１０２の壁面と平行にし、背面板１３の孔１４にボルト１０３を差し込んでその先端にナットを締め込む。これにより、ブラケット１０を橋脚１０２に容易に取付けることができる。
【００５８】
その後、吊り天秤装置１のブラケット保持部４からブラケット１０を取り外し、図５（ｃ）に示すように吊り天秤装置１を水平方向に移動させ橋脚１０２から退避させる。そして、吊り天秤装置１を橋梁床版１０１上まで案内する。
【００５９】
本実施形態では、吊り天秤装置１のブラケット保持部４からブラケット１０を取り外した後、吊り天秤装置１を一旦下降させるが、ブラケット１０を取り外すと吊り天秤装置１は空荷状態となるため天秤本体２の長手方向における重心の位置が図９（ａ）のＧ→Ｇ’と変化する。
【００６０】
そのため、吊り天秤装置１をそのまま下降させると、図９（ｂ）に示すように吊芯（フック６の位置）が変化後の重心の位置Ｇ’に合うよう天秤本体２の長手方向が水平方向に対し傾斜する。
【００６１】
本実施形態では、ここでも、足場１０４上の作業者によってチェーンブロック７の長さを調節する（図の例ではチェーンブロック７を長くする）ことで、図９（ｃ）に示すように鉛直面内における天秤本体２の長手方向の向きを変え、吊芯が重心の位置Ｇ’に合った状態で天秤本体２の長手方向を水平方向に一致させることができる。本実施形態では、こうして吊り天秤装置１の水平を維持したまま吊り天秤装置１を退避する。
【００６２】
以下、図５（ａ）〜図５（ｃ）で説明した工程を繰り返すことで、図５（ｄ）に示すように橋脚１０２に全てのブラケット１０を取付け、作業を終了する。
【００６３】
なお、本実施形態では、橋梁床版１０１の幅方向（橋軸方向と直交する方向）におけるブラケット１０の取付位置の違いに応じて、天秤本体２の長さの異なる吊り天秤装置１を用いる。例えば図５（ｂ）のように幅方向の中央部でブラケット１０を取付ける際にはより天秤本体２の長い吊り天秤装置１を用い、図１０に示すように中央部から離れた位置でブラケット１０を取付ける際にはより天秤本体２の短い吊り天秤装置１を用いる。
【００６４】
以上説明したように、本実施形態の吊り天秤装置１は、天秤本体２にブラケット１０とカウンターウェイト３とを設置して天秤状に吊り支持することで、簡易な構成にてブラケット１０の搬送を行うことができ、ブラケット１０を橋梁床版１０１の下方のブラケット１０の取付位置まで搬送できる。
【００６５】
また本実施形態では天秤本体２がワイヤ６１等の吊材により前後の吊下箇所で吊られるが、そのうち前方の吊下箇所では長さ調節可能なチェーンブロック７が吊材として用いられることにより、吊り天秤装置１において重要な、天秤本体２を水平に保つためのバランス調整をチェーンブロック７の長さ調節により簡易な構成で行うことができる。例えばバランス調整をカウンターウェイトの移動によって行うことも考えられるが、この場合、本実施形態とは異なり吊り天秤装置が大掛かりになる。
【００６６】
本実施形態ではこのように簡易な構成の吊り天秤装置１を用いることで、ブラケット１０を搬送困難な場所まで容易に搬送できるほか、装置を大幅に軽量化できブラケット搬送用のクレーンが小規模で済む、装置の製作コストを低減できる、工期を短縮できる、作業の安全性が向上する等の利点も得られる。
【００６７】
また、本実施形態では、ブラケット保持部４においてブラケット１０の水平面内および鉛直面内の向きを調整可能であり、これによりブラケット１０を適切な向きに合わせ、ブラケット１０の設置作業を容易に行うことができる。
【００６８】
本実施形態では、カウンターウェイト３が天秤本体２の上面に載置されるので、カウンターウェイト３の増減を容易に行うことができる。またカウンターウェイト３を天秤本体２の下方に配置すると浸水の恐れが生じるが、本実施形態ではそのような恐れも無く、ブラケット１０の設置作業に水位が影響するのを回避できる。
【００６９】
さらに、ブラケット１０の取付位置に応じて天秤本体２の長さの異なる吊り天秤装置１を使い分けることで、吊り天秤装置１の天秤本体２の長さをブラケット１０の取付位置に応じた最小限のものとし、カウンターウェイト３を移動させたりすることなく吊り天秤装置１のバランス調整を簡単に行うことができる。
【００７０】
しかしながら、本発明は上記の実施形態に限らない。例えば本実施形態では天秤本体２の前方の吊下箇所でのみチェーンブロック７を用いているが、天秤本体２の後方の吊下箇所でのみチェーンブロック７を用いてもよく、前後の吊下箇所でチェーンブロック７を用いてもよい。
【００７１】
また図５の例では橋梁床版１０１の下部構造である橋脚１０２にブラケット１０を取付けているが、橋梁床版１０１の下部構造として橋台等にブラケット１０を取付けてもよい。
【００７２】
また天秤本体２の形状等も特に限定されず、ブラケット保持部４とカウンターウェイト３を設けて天秤状に吊り支持できるものであればよい。
【００７３】
またブラケット保持部４の構成も、少なくともブラケット１０を保持できるものであればよく、特に限定されない。例えば旋回部４３については、ハンドルバー４３４を省略するかまたは脱着式のものとし、ブラケット１０の水平面における向きを調整する際に、ハンドルバー４３４の無い旋回部４３、あるいは把持部４６やブラケット１０を直接持って回転操作を行うことも可能である。
【００７４】
また吊り天秤装置１は、ブラケット１０以外の吊荷の搬送に用いることもでき、各種の吊荷の搬送、設置を容易に行うことができる。この場合、前記のブラケット保持部４に代えて吊荷に応じた保持部を設ければよく、前記のブラケット保持部４と同様、吊荷の向きを調整可能とすることで吊荷の設置作業を容易とすることもできる。
【００７５】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７６】
１：吊り天秤装置
２：天秤本体
３：カウンターウェイト
４：ブラケット保持部
６：フック
７：チェーンブロック
１０：ブラケット
２１：天秤竿
２２：張出部
４１：受台
４２：摺動板
４３：旋回部
４４：ピン
４５：ジャッキ
４６：把持部
６１：ワイヤ
１０１：橋梁床版
１０２：橋脚
２２１：取付部
２２２：桁材
２２３：脚部
【図１】
2020084634.tif 000003
【図２】
2020084634.tif 000004
【図３】
2020084634.tif 000005
【図４】
2020084634.tif 000006
【図５】
2020084634.tif 000007
【図６】
2020084634.tif 000008
【図７】
2020084634.tif 000009
【図８】
2020084634.tif 000010
【図９】
2020084634.tif 000011
【図１０】
2020084634.tif 000012